(57)【要約】【課題】操作者を煩わせることなく、早期にエラーを認識できるような方法で警告を行う自動分析装置を提供する。【解決手段】実施形態に記載の自動分析装置は、分析ユニットと、警告手段と、操作手段と、記録手段と、検知手段と、制御手段とを有する。警告手段は、警告情報を出力可能に構成されている。記録手段は、操作手段による操作が行われたタイミングを記録する。検知手段は、エラーの発生を検知する。制御手段は、エラーの発生が検知されたときに、記録手段により記録された最新のタイミングが閾値を超えているかどうかを判断し、閾値を超えていない場合には警告情報を第１の態様で警告手段に出力させ、閾値を超えている場合には警告情報を第２の態様で警告手段に出力させる制御を行う。【選択図】図３
2013002826.tif 000002
【特許請求の範囲】
【請求項１】
分析ユニットと、
警告情報を出力可能な警告手段と、
操作手段と、
前記操作手段による操作が行われたタイミングを記録する記録手段と、
エラーの発生を検知する検知手段と、
前記エラーの発生が検知されたときに、前記記録手段により記録された最新のタイミングが閾値を超えているかどうかを判断し、前記閾値を超えていない場合には前記警告情報を第１の態様で前記警告手段に出力させ、前記閾値を超えている場合には前記警告情報を第２の態様で前記警告手段に出力させる制御を行う制御手段と、
を有することを特徴とする自動分析装置。
【請求項２】
前記操作手段による操作には、互いに異なる第１の操作及び第２の操作が少なくとも含まれ、
前記記録手段は、前記第１の操作のタイミング及び前記第２の操作のタイミングを区別して記録し、
前記制御手段は、前記エラーの発生が検知されたときに、最新の前記第１の操作のタイミングが閾値を超えており、且つ現に前記第２の操作が行われている場合、前記警告情報を前記第１の態様に代えて第３の態様で前記警告手段に出力させることを特徴とする請求項１記載の自動分析装置。
【請求項３】
前記制御手段は、前記操作手段による操作と検知された前記エラーの種別とに基づいて前記警告手段による警告情報の出力態様を変更させる制御を行うことを特徴とする請求項２記載の自動分析装置。
【請求項４】
前記警告手段は、
表示手段を有し、
前記警告情報としての警告内容を示す文字列情報を提示するウィンドウを前記表示手段にポップアップ表示させ、
前記制御手段は、前記記録手段により記録された最新のタイミングが閾値を超えているかどうかにより、前記警告手段を制御し、前記ウィンドウの表示態様を変更させることを特徴とする請求項１から３のいずれかに記載の自動分析装置。
【請求項５】
前記警告手段は、前記警告情報としての警告内容を示すアイコンを表示させる表示手段を有し、
前記制御手段は、前記記録手段により記録された最新のタイミングが閾値を超えているかどうかにより、前記警告手段を制御し、前記アイコンの表示態様を変更させることを特徴とする請求項１から４のいずれかに記載の自動分析装置。
【請求項６】
前記警告手段は、前記警告情報としての音声情報を出力し、
前記制御手段は、前記記録手段により記録された最新のタイミングが閾値を超えているかどうかにより、前記警告手段を制御し、前記音声情報の出力態様を変更させることを特徴とする請求項１から５のいずれかに記載の自動分析装置。
【発明の詳細な説明】
【技術分野】
【０００１】
本発明の実施形態は、自動分析装置に関する。
【背景技術】
【０００２】
自動分析装置は、被検試料中の被測定物質や酵素の濃度や活性を測定する装置である。具体的には、自動分析装置は、反応管内にヒトの血液や尿などの被検試料と試薬とを分注し、攪拌混和後、一定温度にて反応させ、この反応によって生ずる変化を測定する。
【０００３】
自動分析装置には、エラー（たとえば、分注アームが動かない、洗浄に使用する純水が無くなっている等）が生じた場合に警告を発し、操作者にエラーが生じていることを認識させる機能が設けられている。
【０００４】
警告としては、たとえば、エラーが生じている旨のウィンドウを自動分析装置の表示部全体に所定時間毎に繰り返しポップアップ表示させる方法等がある。
【先行技術文献】
【特許文献】
【０００５】
【特許文献１】特開２００５−２６５７４３号公報
【発明の概要】
【発明が解決しようとする課題】
【０００６】
自動分析装置が使用される検査室では、一人の操作者が何台もの装置を同時に操作している場合が多い。従って、操作を行っていない自動分析装置でエラーが生じていても気がつくことが遅れる恐れがある。よって、早期にエラーを認識できるような方法で警告がなされることが望ましい。
【０００７】
ここで、自動分析装置を操作している際に、操作していない場合と同じ態様で警告がなされることは操作者にとって煩わしい場合がある。たとえば、エラーを警告するために表示部全体にウィンドウをポップアップ表示する場合、操作者から離れた位置にある自動分析装置（操作を行っていない自動分析装置）では、ウィンドウが大きく表示されるため、容易にエラーを認識することができる。一方、操作者が表示部を見ながら操作を行っている自動分析装置で同様のポップアップ表示がなされると、操作を一旦止めてウィンドウを閉じる必要があり面倒である。このように、同様の警告態様を有する従来の警告の方法では、自動分析装置を操作する操作者にとって煩わしい場合があった。
【０００８】
本実施形態は、このような問題を解決するためになされたものであり、操作者を煩わせることなく、早期にエラーを認識できるような方法で警告を行う自動分析装置を提供することを目的とする。
【課題を解決するための手段】
【０００９】
上記課題を解決するために、実施形態に記載の自動分析装置は、分析ユニットと、警告手段と、操作手段と、記録手段と、検知手段と、制御手段とを有する。警告手段は、警告情報を出力可能に構成されている。記録手段は、操作手段による操作が行われたタイミングを記録する。検知手段は、エラーの発生を検知する。制御手段は、エラーの発生が検知されたときに、記録手段により記録された最新のタイミングが閾値を超えているかどうかを判断し、閾値を超えていない場合には警告情報を第１の態様で警告手段に出力させ、閾値を超えている場合には警告情報を第２の態様で警告手段に出力させる制御を行う。
【図面の簡単な説明】
【００１０】
【図１】第１実施形態に係る自動分析装置の構成を示すブロック図である。
【図２】第１実施形態に係る分析ユニットの構成を示す図である。
【図３】第１実施形態に係る制御ユニットの構成を示すブロック図である。
【図４】第１実施形態に係る表示ユニットの表示画面を示す図である。
【図５】第１実施形態に係る自動分析装置の動作を示すフローチャートである。
【図６】第１実施形態に係るフローチャートの説明を補足する図である。
【図７】第２実施形態に係る制御ユニットの構成を示すブロック図である。
【図８】第２実施形態に係る自動分析装置の動作を示すフローチャートである。
【図９】第３実施形態に係る制御ユニットの構成を示すブロック図である。
【図１０】第３実施形態に係る自動分析装置の動作を示すフローチャートである。
【図１１】変形例２に係る表示ユニットの表示画面を示す図である。
【発明を実施するための形態】
【００１１】
＜第１実施形態＞
図１から図６を参照して第１実施形態に係る自動分析装置１の構成について説明する。本実施形態では、ラックサンプラ―方式の自動分析装置について説明するが、ディスクサンプラ―方式等の他の方式の自動分析装置にも本実施形態の構成を応用可能である。
【００１２】
図１に示すように自動分析装置１は、分析ユニット２、入力ユニット３、表示ユニット４、音声出力ユニット５及び制御ユニット６を含んで構成されている。
【００１３】
［分析ユニット］
図２は、本実施形態に係る分析ユニット２を上側から見た図である。分析ユニット２は、標準試料や被検試料の測定を行うユニットである。
【００１４】
分析ユニット２は、試薬ボトル２０ａ、試薬庫２０ｂ・２０ｃ、試薬庫カバー２０ｄ、反応ライン２１、被検試料容器２２、ラックサンプラ―２３、分注アーム２４ａ・２４ｂ、サンプリングアーム２５、撹拌ユニット２６、測光ユニット２７及び洗浄ユニット２８を含んで構成されている。更に、分析ユニット２には、装置カバー２９が設けられている（図２では、分析ユニット２内の各構成を説明するために破線で示している）。
【００１５】
試薬ボトル２０ａは、被検試料の各種成分と反応する試薬が納められた容器である。試薬ボトル２０ａは、試薬ラック（図示なし）に収容された状態で試薬庫２０ｂ・２０ｃに設置される。試薬庫２０ｂ・２０ｃにはそれぞれ開閉可能な試薬庫カバー２０ｄが設けられている（図２では、試薬庫２０ｂ・２０ｃ内の試薬ボトル２０ａの配置が分かるよう、試薬庫カバー２０ｄを破線で示している）。試薬庫カバー２０ｄの開閉操作は、マイクロスイッチ（図示なし）等により検出される。本実施形態では、試薬庫カバー２０ｄが「操作手段」の一例である。また、試薬庫カバー２０ｄの開閉が、「操作手段による操作」の一例である。
【００１６】
反応ライン２１の円周上には、複数の反応管（図示なし）が配置される。反応管は、被検試料と試薬を反応させる際に使用される容器である。
【００１７】
被検試料容器２２は、被検試料を納める容器である。ラックサンプラ―２３上には、複数の被検試料容器２２が配置される。
【００１８】
試薬ボトル２０ａ内の試薬は、分注アーム２４ａ又は分注アーム２４ｂによって反応管内に分注される。被検試料容器２２内の被検試料は、サンプリングアーム２５によって反応管内に分注される。
【００１９】
被検試料と試薬が分注された反応管は、反応ライン２１に沿って搬送され、撹拌ユニット２６の位置まで移動される。撹拌ユニット２６は、被検試料と試薬が入った状態の反応管を撹拌し、被検試料と試薬を混合させる。
【００２０】
撹拌された反応管は、測光ユニット２７の位置まで移動される。測光ユニット２７は、反応管に対して光を照射し、被検試料と試薬との混合液の吸光度等を測定することにより、被検試料の成分分析を行う。
【００２１】
洗浄ユニット２８は、成分分析が完了し混合液が廃棄された反応管の洗浄を行う。洗浄に使用する純水や洗剤は、自動分析装置１内に設けられたタンク（図示なし）等に貯留されている。
【００２２】
ラックサンプラ―２３上に配置された被検試料容器２２全ての分析が終了した場合には、分析ユニット２からラックサンプラ―２３を取り出す。分析を行う他の被検試料がある場合には、当該被検試料が入った別の被検試料容器２２を配置したラックサンプラ―２３を分析ユニット２にセットし、分析を続けることができる。ラックサンプラ―２３の取り出しやセットは、マイクロスイッチ（図示なし）等により検出される。この場合、ラックサンプラ―２３が「操作手段」の一例である。また、ラックサンプラ―２３の取り出しやセットが「操作手段による操作」の一例である。
【００２３】
装置カバー２９は、開閉可能に設けられている。装置カバー２９を開けることにより、分析ユニット２に対する作業（試薬の追加やラックサンプラ―２３の配置等）が可能となる。装置カバー２９の開閉操作は、マイクロスイッチ（図示なし）等により検出される。本実施形態では、装置カバー２９が「操作手段」の一例である。また、装置カバー２９の開閉が、「操作手段による操作」の一例である。
【００２４】
［入力ユニット］
入力ユニット３は、自動分析装置１に対する操作入力を行うために用いられる。入力ユニット３は、例えばキーボードやマウス等の入力手段を含んで構成されている。或いは、入力ユニット３は、表示ユニット４上に表示されたＧＵＩ（Ｇｒａｐｈｉｃａｌ  Ｕｓｅｒ  Ｉｎｔｅｒｆａｃｅ）を含んでいてもよい。本実施形態において、入力ユニット３が「操作手段」の一例である。また、入力ユニット３による入力操作（たとえば、キーボードによるキー入力）が、「操作手段による操作」の一例である。
【００２５】
［表示ユニット］
表示ユニット４は、自動分析装置１による分析結果、入力ユニット３による入力画面、及びエラーの発生を警告する警告情報等を表示するモニタ等の表示デバイスである。本実施形態では、表示ユニット４が「表示手段」の一例である。
【００２６】
［音声出力ユニット］
音声出力ユニット５は、スピーカー等の音声出力手段を含んで構成されている。音声出力ユニット５は、自動分析装置１のエラーを警告する警告情報としての音声情報を出力する。本実施形態では、音声出力ユニット５が「警告手段」の一例である。
【００２７】
［制御ユニット］
図３に示すように、制御ユニット６は、主制御部６１、記録部６２、検知部６３、判断部６４及び警告制御部６５を含んで構成されている。
【００２８】
主制御部６１は、自動分析装置１の各種制御を行う。たとえば、入力ユニット３からの指示入力に基づいて、主制御部６１は、分析ユニット２による分析を開始させる。
【００２９】
また、本実施形態において、主制御部６１は、操作手段による操作情報を記録部６２に送信する。「操作情報」は、操作内容を含む情報である。たとえば、試薬庫カバー２０ｄが開けられた場合、試薬庫カバー２０ｄの動作を検出するマイクロスイッチからの検出信号に基づき、主制御部６１は、試薬庫カバー２０ｄが開閉されたという操作情報を記録部６２に送信する。
【００３０】
記録部６２は、操作手段による操作が行われたタイミングを記録する。「タイミング」は、ある時点（たとえば自動分析装置１の電源をオンにした時点）からの経過時間、及び操作手段による操作が行われた時刻のいずれの概念も含む。記録部６２は、タイマー等の計時手段（図示なし）を含んで構成されている。記録部６２は、たとえば、主制御部６１から操作手段による操作情報を受け取った際にタイマーを参照し、タイマーが示す時間を操作情報と関連付けて記録する。
【００３１】
また、記録部６２は、異なる操作手段による複数の操作情報を受け取った場合、それぞれの操作手段による操作のタイミングを区別して記録することができる。たとえば、入力ユニット３によるキー操作に関する操作情報と試薬庫カバー２０ｄに関する操作情報を受け取った場合、キー操作のタイミングと試薬庫カバー２０ｄの操作のタイミングとを区別して記録する。
【００３２】
なお、記録部６２による記録は、操作が行われる毎に全てのタイミングを記録してもよいし、最新のタイミングのみを更新して記録することでもよい。本実施形態において、記録部６２が「記録手段」の一例である。
【００３３】
検知部６３は、自動分析装置１に生じるエラーの発生を検知する。「エラー」とは、自動分析装置１による分析作業を妨げる要因や分析結果に悪影響を及ぼす要因となるものである。たとえば、分注アーム２４ａが動かない等の機械的なエラー、洗浄に使用する洗剤や純水が無くなっている等の消耗品に関するエラー、自動分析装置１内部の温度が高すぎる等の分析環境に関するエラー等である。本実施形態において、検知部６３が「検知手段」の一例である。
【００３４】
判断部６４は、検知部６３によりエラーの発生が検知されたときに、記録部６２により記録された最新のタイミングが閾値を越えているかどうかを判断する。具体的には、判断部６４は、検知部６３でエラーの発生が検知された時間から、タイマーにより計時された最新のタイミングの時間を減算し、その値が閾値を超えているかどうかを判断する。「最新のタイミング」とは、エラー発生時点から見てある操作が最後に行われた時間（或いは時刻）である。「閾値」は、警告情報の態様を変更させる基準となる値である。閾値は、自動分析装置１による分析のときに適宜、入力ユニット３及び表示ユニット４を用いて任意に設定することができる。或いは、記憶部（図示なし）等に予め設定された閾値を複数記憶しておき、分析内容等に応じて制御ユニット６が選択的に読み出して適用するようにしてもよい。
【００３５】
警告制御部６５は、判断部６４の判断結果に基づいて、前記警告手段を制御し、警告情報を出力させる。具体的には、警告制御部６５は、判断部６４により閾値を超えていないと判断された場合には警告情報を第１の態様（たとえばアイコンの表示）で警告手段（たとえば表示ユニット４）に出力させる。また、警告制御部６５は、判断部６４により閾値を超えていると判断された場合には警告情報を第２の態様（たとえば音声）で警告手段（たとえば音声出力ユニット５）に出力させる。警告情報の出力態様は、自動分析装置１による分析のときに適宜、入力ユニット３及び表示ユニット４を用いて設定することができる。また、記憶部（図示なし）等に予め設定された出力態様を複数記憶しておき、分析内容等に応じて制御ユニット６が選択的に読み出して適用するようにしてもよい。本実施形態において、判断部６４及び警告制御部６５が「制御手段」の一例である。
【００３６】
更に、本実施形態における表示ユニット４は、新しいオブジェクトを表示させることにより、又は既にあるオブジェクトの表示態様を変更することにより、エラーの発生を警告する警告情報を表示させることができる。たとえば、表示ユニット４は、警告情報としての警告内容を示す文字列情報を提示するウィンドウによるポップアップ表示させる。また、表示ユニット４は、自動分析装置１のエラーを警告する警告情報としての警告内容を示すアイコンを点灯・点滅表示させる。つまり、本実施形態において、表示ユニット４は「警告手段」の一例である。
【００３７】
［閾値及び警告情報の出力態様の設定例］
ここで、図４を用いて、閾値及び警告情報の出力態様の設定例を説明する。図４は表示ユニット４の表示画面Ｉの一例である。表示画面Ｉには、自動分析装置１の操作手段による操作内容欄Ｏ、及び警告情報の出力態様欄Ｄが表示される。
【００３８】
本実施形態では、操作内容欄Ｏには、入力ユニット３によるキー操作ｏ１、装置カバー２９の操作ｏ２、ラックサンプラ―２３の追加操作ｏ３、試薬庫カバー２０ｄの操作ｏ４の４つが表示されている。各操作内容それぞれにチェックボックスＣ、及び閾値を入力する入力欄Ｅが設けられている。操作者は、所望の操作内容に対応するチェックボックスＣにチェックを入れることにより、記録部６２でタイミングを記録する操作を選択することができる。閾値は、たとえば時間で入力することができる。なお、操作内容はこれに限られない。自動分析装置１に対するあらゆる操作を操作内容として採用することが可能である。
【００３９】
また、本実施形態では、警告情報の出力態様欄Ｄには、ウィンドウのポップアップ表示ｄ１、警告音ｄ２、アイコン表示ｄ３が表示されている。ポップアップ表示ｄ１、警告音ｄ２及びアイコン表示ｄ３それぞれには、操作内容欄Ｏで設定されたタイミングが閾値以上であるか否かに応じた出力態様を選択指定するためのチェックボックスＣが設けられている。
【００４０】
操作者は、たとえば図４に示すように、表示画面Ｉでキー操作ｏ１のチェックボックスＣにチェックを入れ、閾値として「５分」と入力する。更に、操作者は、閾値以下の場合の警告情報の態様として、アイコン表示ｄ３の「点灯」をチェックし、且つ閾値以上の場合の警告情報の態様として、警告音ｄ２の「大」をチェックする。
【００４１】
＜動作＞
図５及び図６を参照して本実施形態に係る自動分析装置１の動作について説明する。
【００４２】
自動分析装置１による分析を開始する前に、操作者は入力ユニット３等により、閾値及び警告情報の出力態様を設定する（Ｓ１０）。ここでは、閾値及び警告情報の出力態様は図４のように設定されたものとする。
【００４３】
Ｓ１０での設定が完了した後、自動分析装置１による分析を開始する（Ｓ１１）。記録部６２は、タイマーによる計時を開始し、Ｓ１０で設定されたキー操作ｏ１による操作が行われる毎にそのタイミングを記録する（Ｓ１２）。
【００４４】
ここで、検知部６３によりエラーが検知された場合（Ｓ１３）、判断部６４は、Ｓ１２で記録された最新のタイミングが、Ｓ１０で設定した閾値を超えているかどうかを判断する（Ｓ１４）。具体的には、判断部６４は、Ｓ１３における時間（エラーの発生が検知された時間）から、Ｓ１２で記録された最新のタイミングの時間（タイマーにより計時された最新のタイミングの時間）を減算し、その値が閾値（５分）を超えているかどうかを判断する。
【００４５】
Ｓ１２で記録されたキー操作ｏ１による操作の最新のタイミングが閾値を超えていないと判断された場合（Ｓ１４でＮの場合）、警告制御部６５は、Ｓ１０で設定された警告情報の出力態様に基づき、エラーに対する警告情報としてアイコンＷ３を表示ユニット４上で点灯させる（Ｓ１５。第１の態様。図６参照）。
【００４６】
一方、Ｓ１２で記録されたキー操作ｏ１による操作の最新のタイミングが閾値を超えていると判断された場合（Ｓ１４でＹの場合）、警告制御部６５は、Ｓ１０で設定された警告情報の出力態様に基づき、エラーに対する警告情報として警告音を音声出力ユニット５に出力させる（Ｓ１６。第２の態様）。
【００４７】
＜作用・効果＞
本実施形態の作用及び効果について説明する。
【００４８】
本実施形態に係る自動分析装置１は、分析ユニットと、警告手段と、操作手段と、記録手段（記録部６２）と、検知手段（検知部６３）と、制御手段とを有する。警告手段は、警告情報を出力可能となっている。記録手段は、操作手段による操作が行われたタイミングを記録する。検知手段は、エラーの発生を検知する。制御手段は、エラーの発生が検知されたときに、記録手段により記録された最新のタイミングが閾値を超えているかどうかを判断し、閾値を超えていない場合には警告情報を第１の態様で警告手段に出力させ、閾値を超えている場合には警告情報を第２の態様で警告手段に出力させる制御を行う。
【００４９】
従って、操作手段の操作が行われたタイミングにより、警告情報が出力される態様を変えることができるため、操作者を煩わせることがなく、早期にエラーの発生を認識できるような方法で警告を行うことが可能となる。たとえば、操作者が表示ユニット４の表示画面上で操作を行っている場合、警告情報の出力態様としてアイコンを当該表示画面の下方に小さく点灯させる。一方、操作者が自動分析装置１から離れて他の自動分析装置等の操作を行っている場合、警告情報の出力態様として警告音を発生させる。よって、操作者は現在行っている操作を妨げられることなく、早期にエラーの発生を認識することができる。
【００５０】
＜第２実施形態＞
図７及び図８を参照して第２実施形態に係る自動分析装置１の構成について説明する。第１実施形態と同様の構成については説明を省略する場合がある。
【００５１】
たとえば、第１実施形態のように、エラーの生じた時点が、キー操作ｏ１が最後に行われてから５分以上経過している場合、警告制御部６５は、警告情報としてアイコン表示（第１の態様）に代えて警告音（第２の態様）を音声出力ユニット５に出力させる。
【００５２】
しかし、キー操作を行っていない場合であっても、操作者が自動分析装置１で何らかの操作を行っている場合がある。たとえば、試薬ボトル２０ａを入れ替えるために試薬庫カバー２０ｄを開閉している場合や、ラックサンプラ―２３を入れ替えている場合等がある。このような場合に、大きな警告音で警告を発することは、自動分析装置１の傍らで作業する操作者にとって煩わしい場合がある。
【００５３】
本実施形態では、このような場合であっても操作者を煩わせることなく、早期にエラーの発生を認識できる方法で警告を行う構成について説明する。本実施形態では、キー操作を「第１の操作」とし、試薬庫カバー２０ｄの操作を「第２の操作」として説明する。第１の操作及び第２の操作は、たとえば第１実施形態における表示画面Ｉのような設定画面で予め設定することができる。
【００５４】
また、本実施形態では、警告情報を出力する態様として、アイコン表示を「第１の態様」とする。更に、警告情報として音声情報を出力する態様のうち、警告音（大）を「第２の態様」とし、警告音（小）を「第３の態様」として説明する。第１の態様から第３の態様については、たとえば第１実施形態における表示画面Ｉのような設定画面で予め設定することができる。
【００５５】
図７に示すように、本実施形態では、制御ユニット６が操作判断部６６を含んで構成されている。操作判断部６６は、判断部６４により最新の第１の操作のタイミングが閾値を超えている場合、現に第２の操作が行われているか否かを判断する。操作判断部６６による判断結果は、警告制御部６５に送られる。「現に」とは、エラーの発生時点で実際に操作手段を操作している場合の他、操作手段を操作している可能性の高い場合を含む。たとえば、試薬庫カバー２０ｄを開けてから閉じるまでは試薬庫２０ｂ・２０ｃに対して何らかの作業が行われている可能性が高い。よって、エラー発生時点で既に試薬庫カバー２０ｄが開けられている場合、操作判断部６６は、「第２の操作が行われている」と判断する。操作判断部６６による判断の対象となる第２の操作は、予め任意の操作が設定されている。
【００５６】
警告制御部６５は、操作判断部６６で現に第２の操作が行われていると判断された場合、警告情報を第１の態様に代えて第３の態様で警告手段に出力させる。警告制御部６５は、キー操作が行われていない時間が閾値を超えており、且つ操作判断部６６で現に第２の操作が行われていないと判断された場合には、警告情報を警告音（大）で音声出力ユニット５に出力させる（第２の態様）。一方、操作判断部６６で現に第２の操作が行われていると判断された場合、操作者が自動分析装置１の近くで作業している可能性が高い。よって、警告制御部６５は、警告情報をウィンドウによるポップアップ表示に代えて警告音（小）で音声出力ユニット５に出力させる（第３の態様）。
【００５７】
＜動作＞
図８を参照して本実施形態に係る自動分析装置１の動作について説明する。
【００５８】
自動分析装置１による分析を開始する前に、操作者は入力ユニット３等により、閾値及び警告情報の出力態様を設定する（Ｓ２０）。ここでは、閾値は、キー操作に対して５分と設定されたものとする。警告情報の出力態様は上述の通り設定されたものとする。
【００５９】
Ｓ２０での設定が完了した後、自動分析装置１による分析を開始する（Ｓ２１）。記録部６２は、タイマーによる計時を開始し、Ｓ２０で設定されたキー操作ｏ１による操作が行われる毎にそのタイミングを記録する（Ｓ２２）。
【００６０】
ここで、検知部６３によりエラーが検知された場合（Ｓ２３）、判断部６４は、Ｓ２２で記録された最新のタイミングが、Ｓ２０で設定した閾値を超えているかどうかを判断する（Ｓ２４）。
【００６１】
Ｓ２２で記録された最新のタイミングが閾値を超えていないと判断された場合（Ｓ２４でＮの場合）、警告制御部６５は、Ｓ２０で設定された警告情報の出力態様に基づき、エラーに対する警告情報としてアイコンＷ３を表示ユニット４上で点灯させる（Ｓ２５。第１の態様）。
【００６２】
一方、Ｓ２２で記録された最新のタイミングが閾値を超えていると判断された場合（Ｓ２４でＹの場合）、操作判断部６６は、試薬庫カバー２０ｄの操作（第２の操作）が行われているかどうかを判断する（Ｓ２６）。
【００６３】
試薬庫カバー２０ｄの操作が行われていないと判断された場合（Ｓ２６でＮの場合）、警告制御部６５は、Ｓ２０で設定された警告情報の出力態様に基づき、エラーに対する警告情報として警告音（大）を音声出力ユニット５に出力させる（Ｓ２７。第２の態様）。
【００６４】
一方、試薬庫カバー２０ｄの操作が行われていると判断された場合（Ｓ２６でＹの場合）、警告制御部６５は、Ｓ２０で設定された警告情報の出力態様に基づき、エラーに対する警告情報として警告音（小）を音声出力ユニット５に出力させる（Ｓ２８。第３の態様）。
【００６５】
なお、第２の操作は、本実施形態のように、特定の操作（試薬庫カバー２０ｄの操作）を設定するだけでなく、自動分析装置１に対して行われる操作のうち、第１の操作を除く全てを対象とすることも可能である。
【００６６】
＜作用・効果＞
本実施形態の作用及び効果について説明する。
【００６７】
本実施形態に係る自動分析装置１において、操作手段による操作には、互いに異なる第１の操作及び第２の操作が少なくとも含まれる。記録手段（記録部６２）は、第１の操作のタイミング及び第２の操作のタイミングを区別して記録する。制御手段は、エラーの発生が検知されたときに、最新の第１の操作のタイミングが閾値を超えており、且つ現に第２の操作が行われている場合、警告情報を第１の態様に代えて第３の態様で警告手段に出力させる。
【００６８】
従って、第２の操作が行われているか否かで警告情報の出力態様を変更させるため、操作者を煩わせることなく、早期にエラーの発生を認識できるような方法で警告を行うことができる。たとえば、操作者が自動分析装置１から離れて他の自動分析装置等の操作を行っている場合、警告情報の出力態様として警告音を大音量で発生させる。一方、操作者が自動分析装置１の傍らで操作（たとえば試薬庫カバー２０ｄの開閉）を行っている場合、警告情報の出力態様として警告音を小音量で発生させる。よって、操作者は現在行っている操作を妨げられることなく、早期にエラーの発生を認識することができる。
【００６９】
＜第３実施形態＞
図９及び図１０を参照して第３実施形態に係る自動分析装置１の構成について説明する。第１実施形態及び第２実施形態と同様の構成については説明を省略する場合がある。
【００７０】
たとえば、試薬庫２０ｂの試薬庫カバー２０ｄを開けて試薬ボトル２０ａを入れ替える作業中に試薬庫２０ｂに関するエラー（たとえば、温度調節機構が故障し、試薬庫２０ｂ内の温度を保つことができない）が生じた場合、操作者はそのエラーを早めに認識し、解消する必要がある。一方、現在作業を行っている試薬庫２０ｂ以外に関するエラーであれば、試薬庫２０ｂでの作業を完了した後に知ることができれば十分である。
【００７１】
本実施形態では、このような場合であっても操作者を煩わせることなく、早期にエラーの発生を認識できる方法で警告を行う構成について説明する。本実施形態では、第２実施形態と同様、キー操作を「第１の操作」とし、試薬庫カバー２０ｄの操作を「第２の操作」として説明する。
【００７２】
本実施形態では、第２実施形態と同様、警告情報を出力する態様として、アイコン表示を「第１の態様」とする。また、第２実施形態と同様、警告情報として音声情報を出力する態様のうち、警告音（大）を「第２の態様」とし、警告音（小）を「第３の態様」として説明する。更に、警告情報として音声情報を出力する態様のうち、緊急警告音を「第４の態様」として説明する。「緊急警告音」は、警告音（大）や警告音（小）と音の鳴るタイミング（緊急警告音の場合には、頻繁に音が繰り返される等）等が異なる。
【００７３】
図９に示すように、本実施形態では、制御ユニット６がエラー判断部６７を含んで構成されている。エラー判断部６７は、操作判断部６６により第２の操作が行われている場合、当該操作が検知部６３で検知されたエラーと関連するか否かを判断する。具体的には、操作手段による操作（第２の操作）とエラーの種別（エラーの内容やエラーの部位）とが関連付けられたテーブル情報が予め記憶部（図示なし）に記憶されている。エラー判断部６７は、検知部６３から検知されたエラーに関する情報（たとえば、エラー種別）、及び操作判断部６６から第２の操作に関する情報（たとえば、第２操作の種類）をそれぞれ取得する。エラー判断部６７は、取得したエラーに関する情報と第２の操作に関する情報とをテーブル情報に当てはめ、それぞれが関連付けられているか否かを判断する。エラー判断部６７による判断結果は、警告制御部６５に送られる。
【００７４】
警告制御部６５は、エラー判断部６７で第２の操作と検知部６３で検知されたエラーとが関連すると判断された場合、警告情報の出力態様を変更させる。具体的には、警告制御部６５は、アイコン表示（第１の態様）に代えて緊急警告音（第４の態様）で音声出力ユニット５）に出力させる。
【００７５】
＜動作＞
図１０を参照して本実施形態に係る自動分析装置１の動作について説明する。
【００７６】
自動分析装置１による分析を開始する前に、操作者は入力ユニット３等により、閾値及び警告情報の出力態様を設定する（Ｓ３０）。ここでは、閾値は、キー操作に対して５分と設定されたものとする。警告情報の出力態様は上述の通り設定されたものとする。
【００７７】
Ｓ３０での設定が完了した後、自動分析装置１による分析を開始する（Ｓ３１）。記録部６２は、タイマーによる計時を開始し、Ｓ３０で設定されたキー操作ｏ１による操作が行われる毎にそのタイミングを記録する（Ｓ３２）。
【００７８】
ここで、検知部６３によりエラーが検知された場合（Ｓ３３）、判断部６４は、Ｓ３２で記録された最新のタイミングが、Ｓ３０で設定した閾値を超えているかどうかを判断する（Ｓ３４）。
【００７９】
Ｓ３２で記録された最新のタイミングが閾値を超えていないと判断された場合（Ｓ３４でＮの場合）、警告制御部６５は、Ｓ３０で設定された警告情報の出力態様に基づき、エラーに対する警告情報としてアイコンＷ３を表示ユニット４上で点灯させる（Ｓ３５。第１の態様）。
【００８０】
一方、Ｓ３２で記録された最新のタイミングが閾値を超えていると判断された場合（Ｓ３４でＹの場合）、操作判断部６６は、試薬庫カバー２０ｄの操作が行われているかどうかを判断する（Ｓ３６）。
【００８１】
試薬庫カバー２０ｄの操作が行われていないと判断された場合（Ｓ３６でＮの場合）、警告制御部６５は、Ｓ３０で設定された警告情報の出力態様に基づき、エラーに対する警告情報として警告音（大）を音声出力ユニット５に出力させる（Ｓ３７。第２の態様）。
【００８２】
一方、試薬庫カバー２０ｄの操作が行われていると判断された場合（Ｓ３６でＹの場合）、エラー判断部６７は、試薬庫カバー２０ｄの操作が検知部６３で検知されたエラーと関連するか否かを判断する（Ｓ３８）。
【００８３】
試薬庫カバー２０ｄの操作が検知部６３で検知されたエラーと関連しないと判断された場合（Ｓ３８でＮの場合）、警告制御部６５は、Ｓ３０で設定された警告情報の出力態様に基づき、エラーに対する警告情報として警告音（小）を音声出力ユニット５に出力させる（Ｓ３９。第３の態様）。
【００８４】
一方、試薬庫カバー２０ｄの操作が検知部６３で検知されたエラーと関連すると判断された場合（Ｓ３８でＹの場合）、警告制御部６５は、Ｓ３０で設定された警告情報の出力態様に基づき、エラーに対する警告情報として緊急警告音を音声出力ユニット５に出力させる（Ｓ４０。第４の態様）。
【００８５】
＜作用・効果＞
本実施形態の作用及び効果について説明する。
【００８６】
本実施形態に係る自動分析装置１において、制御手段は、操作手段による操作と検知されたエラーの種別とに基づいて警告手段による警告情報の出力態様を変更させる。
【００８７】
従って、第２の操作とエラーとが関連するか否かで警告情報の出力態様を変更させるため、操作者を煩わせることなく、早期にエラーの発生を認識できるような方法で警告を行うことができる。たとえば、操作者が自動分析装置１から離れて他の自動分析装置等の操作を行っている場合、警告情報の出力態様として警告音を発生させる。一方、操作者が自動分析装置１の傍らで操作（たとえば試薬庫カバー２０ｄの開閉）を行っているときにその操作に関連したエラーが発生した場合、警告情報の出力態様として緊急警告音を発生させる。よって、操作者は現在行っている操作を妨げられることなく、早期にエラーの発生を認識することができる。
【００８８】
＜変形例１＞
警告情報の出力態様は様々な方法がある。
【００８９】
出力態様としてウィンドウのポップアップ表示を用いる場合、ウィンドウの表示態様を変更することができる。たとえば、記録部６２により記録された最新のタイミングが閾値を超えているか否かで、ウィンドウの表示サイズ、ウィンドウに提示される文字列情報のフォントサイズ、ウィンドウの色等を変えることができる。
【００９０】
出力態様としてアイコンの表示を用いる場合、アイコンの表示態様を変更することができる。たとえば、記録部６２により記録された最新のタイミングが閾値を超えているか否かで、アイコンのサイズ、形、色、点灯・点滅、点灯・点滅の時間、点灯・点滅のタイミング等を変えることができる。
【００９１】
出力態様として音声情報を用いる場合、音声の発生態様を変更することができる。たとえば、記録部６２により記録された最新のタイミングが閾値を超えているか否かで、音の大きさ、タイミング、パターン、音自体等を変えることができる。
【００９２】
更には、エラーの部位やエラーの内容によって警告情報の出力態様を変更させることも可能である。たとえば、第３実施形態において、試薬庫カバー２０ｄその操作に関連するエラーが発生した場合には緊急警告音を発生させるが、関連するエラーの中でも温度調節機構に関するエラーと分注アーム２４ａに関するエラーで緊急警告音を異ならせる。このように、緊急警告音を区別することで、操作者は試薬庫カバー２０ｄの操作に関連する部分のどこでエラーが発生しているかを容易に認識することができる。
【００９３】
＜変形例２＞
上記実施形態において、操作内容欄Ｏで複数の操作内容を選択することも可能である。たとえば、第１実施形態における閾値及び警告情報の出力態様の設定例で、キー操作ｏ１と装置カバー２９の操作ｏ２を選択し、それぞれの閾値を５分と３０分と設定したとする。
【００９４】
この場合に自動分析装置１でエラーが生じた場合、当該エラーの生じた時点が、キー操作ｏ１が最後に行われてから５分以内、または装置カバー２９の操作ｏ２が行われてから３０分以内の場合、警告制御部６５は、アイコンＷ３の点灯を行うよう表示ユニット４を制御する。一方、当該エラーの生じた時点が、キー操作ｏ１が最後に行われてから５分以上、且つ装置カバー２９の操作ｏ２が行われてから３０分以上経過している場合、警告制御部６５は、警告音を発生するよう音声出力ユニット５を制御する。
【００９５】
また、上記実施形態において、警告情報の出力態様として複数の態様を選択することも可能である。たとえば、表示画面Ｉで、第１の態様として、ポップアップ表示ｄ１の「する」及びアイコン表示ｄ３の「点灯」をチェックした場合、図１１に示すように、ウィンドウＷ１のポップアップ表示とアイコンＷ３の点灯を同時に行われる。この場合、ウィンドウＷ１には、エラーの部位やエラーの具体的な内容を表示させることができる。
【００９６】
以上述べた少なくとも一つの実施形態の自動分析装置によれば、エラーの発生が検知されたときに、記録手段により記録された最新のタイミングが閾値を超えているかどうかを判断し、閾値を超えていない場合には警告情報を第１の態様で警告手段に出力させ、閾値を超えている場合には警告情報を第２の態様で警告手段に出力させる制御を行う制御手段を持つことにより、操作者を煩わせることなく、早期にエラーの発生を認識できるような方法で警告を行うことが可能となる。
【００９７】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００９８】
１  自動分析装置
２  分析ユニット
３  入力ユニット
４  表示ユニット
５  音声出力ユニット
６  制御ユニット
６１  主制御部
６２  記録部
６３  検知部
６４  判断部
６５  警告制御部
【図１】
2013002826.tif 000003
【図２】
2013002826.tif 000004
【図３】
2013002826.tif 000005
【図４】
2013002826.tif 000006
【図５】
2013002826.tif 000007
【図６】
2013002826.tif 000008
【図７】
2013002826.tif 000009
【図８】
2013002826.tif 000010
【図９】
2013002826.tif 000011
【図１０】
2013002826.tif 000012
【図１１】
2013002826.tif 000013